(57)【要約】  【課題】  監視制御に支障を与えることなくバックアップやダウンロードを行う監視制御プログラム、監視制御装置、監視制御方法を提供する。  【解決手段】  複数の伝送装置のうちＧＮＥ伝送装置３ａ，３ｂに接続し、複数の伝送装置の監視制御を行う監視制御装置１ａであって、バックアップの対象となる伝送装置の優先度を格納するバックアップ対象格納部と、ＧＮＥ伝送装置３ａに接続された通常経路７ａとＧＮＥ伝送装置３ｂに接続された迂回経路７ｂの状況に基づいて、通常経路７ａと迂回経路７ｂのいずれかの通信経路を選択し、優先度に基づいてバックアップの対象となる伝送装置を選択し、選択した通信経路を用いて、選択した伝送装置のバックアップを行うバックアップ制御部とを備えた。  【選択図】  図１
2006246283.tif 000002
【特許請求の範囲】
【請求項１】
第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法をコンピュータに実行させる監視制御プログラムであって、
バックアップの対象となる前記伝送装置の優先度を格納するバックアップ対象格納ステップと、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップと、
をコンピュータに実行させる監視制御プログラム。
【請求項２】
請求項１に記載の監視制御プログラムにおいて、
更に、複数の前記通信経路の監視を行う監視ステップを備え、
前記バックアップ制御ステップは、前記状況として、前記監視ステップの監視結果を用いることを特徴とする監視制御プログラム。
【請求項３】
第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御装置であって、
バックアップの対象となる前記伝送装置の優先度を格納するバックアップ対象格納部と、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御部と、
を備えてなる監視制御装置。
【請求項４】
請求項３に記載の監視制御プログラムにおいて、
更に、前記ダウンロードの後に、前記プロトコル境界の伝送装置から遠い伝送装置から順に所定の制御を行うダウンロード後制御ステップを備えることを特徴とする監視制御プログラム。
【請求項５】
第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法であって、
バックアップの対象となる前記伝送装置の優先度を格納するバックアップ対象格納ステップと、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップと、
を実行する監視制御方法。
【発明の詳細な説明】
【技術分野】
【０００１】
本発明は、伝送装置との間でファイル転送を行う監視制御プログラム、監視制御装置、監視制御方法に関するものである。
【背景技術】
【０００２】
通信インフラとして、光信号等により音声や画像等の情報を伝送する伝送装置が用いられる。更に、伝送装置の監視、制御を行うための伝送装置監視制御システムが用いられる。図１２は、従来の伝送装置監視制御システムの構成の一例を示すブロック図である。この伝送装置監視制御システムは、運用系監視制御装置１０１ａ、待機系監視制御装置１０１ｂ、ＧＮＥ（Gateway Network Element）伝送装置３ａ，３ｂ、標準伝送装置４ａ，４ｂ、オペレータ端末５を備える。運用系監視制御装置１０１ａと待機系監視制御装置１０１ａを、監視制御装置と呼び、いずれも同じ構成を持つ。このうち、運用系監視制御装置１０１ａは通常の運用時に動作する監視制御装置であり、待機系監視制御装置１０１ｂは運用系監視制御装置１０１ａの異常時に動作する監視制御装置である。また、ＧＮＥ伝送装置３ａ，３ｂと標準伝送装置４ａ，４ｂを伝送装置と呼ぶ。
【０００３】
運用系監視制御装置１０１ａ、待機系監視制御装置１０１ｂと、ＧＮＥ伝送装置３ａ，３ｂの間は、ＤＣＮ（Data Communication Network）６で接続され、ＴＣＰ／ＩＰ（Transmission Control Protocol/Internet Protocol）を用いた通信を行う。ここで、運用系監視制御装置１０１ａ、待機系監視制御装置１０１ｂとＧＮＥ伝送装置３ａ，３ｂの間の通信経路は、ＤＣＮの異常を考慮し、通常の監視制御を行うためにＧＮＥ伝送装置３ａに接続する通常経路７ａの他に、冗長経路としてＧＮＥ伝送装置３ｂに接続する迂回経路７ｂを備える。また、ＧＮＥ伝送装置３ａ，３ｂ、標準伝送装置４ａ，４ｂは、監視制御用回線のサブネットワーク８で接続され、例えばＯＳＩ（Open Systems Interconnection）７レイヤプロトコルスタックを用いた通信を行う。
【０００４】
ＧＮＥ伝送装置３ａ，３ｂは、伝送装置としての機能の他に、ＤＣＮ６とサブネットワーク８のプロトコルの変換を行う。オペレータ端末５は、監視制御装置１０１ａ，１０１ｂと接続され、オペレータの操作により監視制御装置１０１ａ，１０１ｂに関する設定や表示を行う。
【０００５】
監視制御装置１０１ａ，１０１ｂは、伝送装置が保持するデータをバックアップする、バックアップしたデータを故障復旧時に伝送装置へダウンロードする、機能追加を施した新しいプログラムを伝送装置へダウンロードする、等の処理を行う。また、オペレータの操作により、通常経路の通信負荷状態に応じて、迂回経路を利用したファイル転送を行う、ファイルを分割して両方の通信経路を用いたファイル転送を行う、等の処置を行うことができる。
【０００６】
このような伝送装置監視制御システムに対して、伝送装置の故障発生による通信異常を迅速に復旧することが要求されている。また、このような伝送装置監視制御システムにおいて、他の監視制御処理を阻害することなく、確実かつ容易な操作で、監視制御装置から伝送装置へのダウンロードを行うことが要求されている。
【０００７】
なお、本発明の関連ある従来技術として、例えば、下記に示す特許文献１が知られている。このダウンロード方式は、予備回線を経由して通信装置から他の通信装置へ監視制御プログラムのダウンロードを行うものである。
【特許文献１】特開平４−２９１５３８号公報
【発明の開示】
【発明が解決しようとする課題】
【０００８】
しかしながら、従来の伝送装置監視制御システムにおいて、バックアップの処理は、自動化されているが、無条件に予め指定された台数ずつ定期的に行うものである。例えば、１日に１回、１０台分の伝送装置のバックアップを行う。また、前回のバックアップとの変化の有無を判断していない。データの変化が発生してから数日後にバックアップが行われる場合や、前回のバックアップから変化のないデータのバックアップを行う場合、等があり、最新情報の退避は不十分であった。
【０００９】
また、監視制御装置から伝送装置へのダウンロードの処理は、オペレータの操作により行われる。オペレータは、ダウンロードの指示からダウンロード後の再起動（ＣＰＵリセット）要求までを、判断しながら操作していた。また、複数の伝送装置の再起動が必要である場合、同時に複数の伝送装置の再起動を実施すると、回線が中断し、監視制御装置からの遠隔監視が一時的に不能になっていた。この遠隔監視の不能を回避するために、１台ずつ伝送装置の再起動を実施すると、全ての作業の完了に相当な時間を要するという課題があった。
【００１０】
また、伝送装置からの故障通知が多発した場合、頻繁に制御の操作を実施している最中にファイル転送が実行された場合、等により、通信経路の通信負荷や監視制御装置のＣＰＵ負荷の増大する場合があった。これにより、故障復旧の遅延、制御応答の遅延に伴う操作性の低下、等が発生していた。また、通信経路の付加情報を定期的に測定することにより、通信経路や監視制御装置の処理能力が低下していた。
【００１１】
本発明は上述した問題点を解決するためになされたものであり、監視制御に支障を与えることなくバックアップやダウンロードを行う監視制御プログラム、監視制御装置、監視制御方法を提供することを目的とする。
【課題を解決するための手段】
【００１２】
上述した課題を解決するため、本発明は、第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法をコンピュータに実行させる監視制御プログラムであって、バックアップの対象となる前記伝送装置の優先度を格納するバックアップ対象格納ステップと、複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップとをコンピュータに実行させるものである。
【００１３】
また、本発明に係る監視制御プログラムにおいて、更に、複数の前記通信経路の監視を行う監視ステップを備え、前記バックアップ制御ステップは、前記状況として、前記監視ステップの監視結果を用いることを特徴とするものである。
【００１４】
また、本発明に係る監視制御プログラムにおいて、前記バックアップ制御ステップは、前記状況として、所定の時間帯と現在時刻の比較を用いることを特徴とするものである。
【００１５】
また、本発明に係る監視制御プログラムにおいて、前記バックアップ制御ステップは更に、ある伝送装置に対してオペレータによる所定の操作が行われた場合に、該伝送装置の前記優先度を変更することを特徴とするものである。
【００１６】
また、本発明に係る監視制御プログラムにおいて、前記バックアップ制御ステップは更に、前記バックアップが成功した伝送装置の前記優先度を下げることを特徴とするものである。
【００１７】
また、本発明に係る監視制御プログラムにおいて、前記バックアップ制御ステップは更に、前記コンピュータと同様の冗長な装置が存在する場合、前記バックアップを前記冗長な装置に委託することを特徴とするものである。
【００１８】
また、本発明は、第１のプロトコルを用いて接続された複数の伝送装置のうちプロトコル境界の伝送装置に対して、第２のプロトコルを用いて接続し、前記複数の伝送装置の監視制御を行う監視制御方法をコンピュータに実行させる監視制御プログラムであって、前記複数の伝送装置の接続状況を格納する伝送装置情報格納ステップと、前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御ステップとをコンピュータに実行させるものである。
【００１９】
また、本発明に係る監視制御プログラムにおいて、更に、前記ダウンロードの後に、前記プロトコル境界の伝送装置から遠い伝送装置から順に所定の制御を行うダウンロード後制御ステップを備えることを特徴とするものである。
【００２０】
また、本発明に係る監視制御プログラムにおいて、更に、前記ダウンロードの後に、前記プロトコル境界の伝送装置から遠い伝送装置から順に所定の制御を行う処理とは異なる指示がオペレータから与えられた場合に、前記オペレータに警告メッセージを通知するダウンロード後制御ステップを備えることを特徴とするものである。
【００２１】
また、本発明は、第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御装置であって、バックアップの対象となる前記伝送装置の優先度を格納するバックアップ対象格納部と、複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御部とを備えたものである。
【００２２】
また、本発明は、第１のプロトコルを用いて接続された複数の伝送装置のうちプロトコル境界の伝送装置に対して、第２のプロトコルを用いて接続し、前記複数の伝送装置の監視制御を行う監視制御装置であって、前記複数の伝送装置の接続状況を格納する伝送装置情報格納部と、前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御部とを備えたものである。
【００２３】
また、本発明は、第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法であって、バックアップの対象となる前記伝送装置の優先度を格納するバックアップ対象格納ステップと、複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップとを実行するものである。
【００２４】
また、本発明は、第１のプロトコルを用いて接続された複数の伝送装置のうちプロトコル境界の伝送装置に対して、第２のプロトコルを用いて接続し、前記複数の伝送装置の監視制御を行う監視制御方法であって、前記複数の伝送装置の接続状況を格納する伝送装置情報格納ステップと、前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御ステップとを実行するものである。
【発明の効果】
【００２５】
本発明のバックアップ制御機能によれば、通常の監視制御に使用する通常経路ではなく、異常発生時の監視制御に使用する迂回経路を利用してファイル転送を行うことにより、ファイル転送によるＧＮＥ伝送装置のＣＰＵ負荷や通信経路の負荷が軽減され、通常の監視制御における遅延等の支障を軽減することができる。また、閾値超過警報の発生している通信経路は、ファイル転送に失敗する可能性が高いため、閾値超過警報の発生していない経路でファイル転送を実施することにより、安全性の高いファイル転送が可能である。また、監視制御装置が冗長構成を持つ場合は、待機系監視制御装置を用いてバックアップを行うことにより通常の監視制御における遅延等の支障を軽減することができる。
【００２６】
また、オペレータの操作を監視することにより、データの変更があった伝送装置を優先的にバックアップすることから、最新データの退避が可能であり、伝送装置の故障によりサービスに影響があった場合でも、退避データにより迅速な復旧が可能となる。また、ＤＣＮ機器の故障等によりバックアップが失敗した場合、成功した伝送装置に比べて失敗した伝送装置のバックアップ優先度は高いままとなり、再度バックアップ対象となることが可能である。
【００２７】
本発明のダウンロード制御機能によれば、伝送装置から伝送装置へのダウンロードを順次行うことにより、ＤＣＮやＧＮＥ伝送装置の負荷を軽減することができる。また、サブネットワークの構成に応じて、的確なダウンロード後の制御を自動で実施すること、手動でダウンロード後の制御を行う場合でも、判断ミスが発生する可能性を事前にオペレータに警告することにより、オペレータの判断ミスによる監視制御の中断を回避することができる。
【発明を実施するための最良の形態】
【００２８】
以下、本発明の実施の形態について図面を参照しつつ説明する。
【００２９】
実施の形態１．
ここでは、本発明に係る監視制御装置のバックアップ制御機能について説明する。
【００３０】
図１は、本発明に係る伝送装置監視制御システムの構成の一例を示すブロック図である。図１において、図１２と同一符号は図１２に示された対象と同一又は相当物を示しており、ここでの説明を省略する。図１２と比較すると図１の伝送装置監視制御システムは、運用系監視制御装置１０１ａの代わりに運用系監視制御装置１ａを備え、待機系監視制御装置１０１ｂの代わりに待機系監視制御装置１ｂを備える。
【００３１】
図２は、本発明に係るバックアップ制御機能を持つ監視制御装置の構成の一例を示すブロック図である。ここでは、監視制御装置として運用系監視制御装置１ａを説明するが、待機系監視制御装置１ｂも同様である。この運用系監視制御装置１ａは、通信管理部１１、伝送装置情報格納部１２、スケジューリング部２１、バックアップ管理部２２、時刻取得部２３、バックアップ対象格納部２４、バックアップ優先度処理部２５、監視部２６、監視ＤＢ（データベース）２７を備える。
【００３２】
通信管理部１１は、ＧＮＥ伝送装置３ａ，３ｂとの間の通常経路７ａ、迂回経路７ｂについてＴＣＰ／ＩＰ通信の管理を行う。
【００３３】
図３は、本発明に係る伝送装置情報格納部に格納される情報の一例を示す表である。伝送装置情報格納部１２は、サブネットワーク番号、装置番号、伝送装置識別子、ＧＮＥフラグ、ＩＰアドレス、Ｈｏｐ数の項目について、伝送装置毎の値を格納している。サブネットワーク番号は、サブネットワークに付与される番号である。伝送装置番号は、伝送装置に付与される番号である。伝送装置識別子は、伝送装置に付与される識別子である。ＧＮＥフラグは、ＧＮＥ伝送装置の場合に１、そうでない場合に０となる。Ｈｏｐ数は、ＧＮＥ伝送装置を起点にサブネットワーク上の何台目に位置するかを示す。
【００３４】
図４は、本発明に係るバックアップ対象格納部に格納される情報の一例を示す表である。バックアップ対象格納部２４は、装置番号、バックアップ優先度、伝送装置識別子の項目について、バックアップ対象となる伝送装置毎の値を格納している。バックアップ優先度は、１を最高の優先度とする。
【００３５】
バックアップ優先度処理部２５は、オペレータ端末５におけるオペレータの操作を監視し、バックアップ優先度を変更する操作が行われた場合、バックアップ対象格納部２４におけるバックアップ優先度を変更する。例えば、オペレータの操作により、ある伝送装置のデータの変更が行われた場合、その伝送装置のバックアップ優先度を上げる。
【００３６】
監視部２６は、サブネットワークの通信負荷や伝送装置の通信負荷が閾値を超過した場合に伝送装置から通知される、閾値超過警報を受信し、監視ＤＢ２７に格納すると共に、オペレータ端末５へ通知する。時刻取得部２３は、現在時刻を獲得する。
【００３７】
次に、スケジューリング部２１の動作について説明する。オペレータは、予めオペレータ端末５からスケジューリング部２１へ、バックアップ開始時刻を設定しておく。図５は、本発明に係るスケジューリング部の動作の一例を示すフローチャートである。
【００３８】
まず、スケジューリング部２１は、時刻取得部２３から現在時刻を取得する（Ｓ１１）。次に、スケジューリング部２１は、現在時刻が予め設定されたバックアップ開始時刻になったか否かの判断を行う（Ｓ１２）。バックアップ開始時刻になっていない場合（Ｓ１２，Ｎ）、処理Ｓ１１に戻る。一方、バックアップ開始時刻になった場合（Ｓ１２，Ｙ）、スケジューリング部２１は、バックアップ対象格納部２４においてバックアップ優先度の高いものから順に伝送装置を選択し、バックアップ対象となる伝送装置の伝送装置識別子を取得する（Ｓ１３）。
【００３９】
次に、スケジューリング部２１は、監視制御装置が冗長構成である待機系監視制御装置を持つか否かの判断を行う（Ｓ１４）。冗長構成を持たない場合（Ｓ１４，Ｎ）、自監視制御装置のバックアップ管理部２２へ、伝送装置識別子を含めたバックアップ指示を行い（Ｓ２１）、処理Ｓ２３へ移行する。一方、冗長構成を持つ場合（Ｓ１４，Ｙ）、待機系監視制御装置１ｂのバックアップ管理部２２へ、伝送装置識別子を含めたバックアップ指示を行い（Ｓ２２）、処理Ｓ２３へ移行する。
【００４０】
次に、スケジューリング部２１は、バックアップ指示を行ったバックアップ管理部２２からの結果により、バックアップが成功したか否かの判断を行う（Ｓ２３）。バックアップが失敗した場合（Ｓ２３，Ｎ）、処理Ｓ２５へ移行する。一方、バックアップが成功した場合（Ｓ２３，Ｙ）、バックアップ対象格納部２４において、バックアップが成功した伝送装置のバックアップ優先度を低くし（Ｓ２４）、処理Ｓ２５へ移行する。
【００４１】
次に、スケジューリング部２１は、バックアップ対象格納部２４における全ての伝送装置のバックアップを完了したか否かの判断を行う（Ｓ２５）。完了していない場合（Ｓ２５，Ｎ）、処理Ｓ１４に戻る。完了した場合（Ｓ２５，Ｙ）、このフローを終了し、再びこのフローを実行する。
【００４２】
次に、バックアップ管理部２２の動作について説明する。オペレータは、予めオペレータ端末５からバックアップ管理部２２へ、迂回経路利用時間帯を設定しておく。迂回経路利用時間帯とは、監視制御による通常経路の負荷が高いことから、迂回経路でバックアップを行ったほうが良い時間帯であり、例えば昼間の時間帯である。逆に、迂回経路利用時間帯以外では、監視制御による通常経路の負荷が低く、通常経路でバックアップを行っても良い時間帯であり、例えば深夜である。図６は、本発明に係るバックアップ管理部の動作の一例を示すフローチャートである。
【００４３】
バックアップ管理部２２は、スケジューリング部２１からバックアップ指示を受け取ると、このフローを開始する。まず、バックアップ管理部２２は、伝送装置情報格納部１２から、バックアップ対象となる伝送装置の情報を取得する（Ｓ３１）。次に、バックアップ管理部２２は、監視ＤＢ２７における警報の読み出しを行う（Ｓ３２）。
【００４４】
次に、バックアップ管理部２２は、迂回経路７ｂに警報があるか否かの判断を行う（Ｓ３３）。迂回経路７ｂに警報がある場合（Ｓ３３，Ｙ）、通常経路７ａに警報があるか否かの判断を行う（Ｓ３４）。通常経路７ａに警報がある場合（Ｓ３４，Ｙ）、処理Ｓ４１へ移行する。通常経路７ａに警報がない場合（Ｓ３４，Ｎ）、処理Ｓ４２へ移行する。また、処理Ｓ３３において迂回経路７ｂに警報がない場合（Ｓ３３，Ｎ）、現在時刻が迂回経路利用時間帯であるか否かの判断を行う（Ｓ３５）。迂回経路利用時間帯である場合（Ｓ３５，Ｙ）、処理Ｓ４１へ移行する。迂回経路利用時間帯でない場合（Ｓ３５，Ｎ）、処理Ｓ４２へ移行する。
【００４５】
迂回経路７ｂに警報がなく、迂回経路利用時間帯である場合、または、迂回経路７ｂに警報があり、通常経路７ａに警報がある場合、バックアップ管理部２２は、迂回経路７ｂを利用してバックアップを実行し（Ｓ４１）、処理Ｓ４３へ移行する。また、迂回経路７ｂに警報がなく、迂回経路利用時間帯でない場合、または、迂回経路７ｂに警報があり、通常経路７ａに警報がない場合、バックアップ管理部２２は、通常経路７ａを利用してバックアップを実行し（Ｓ４２）、処理Ｓ４３へ移行する。次に、バックアップ管理部２２は、バックアップの成否を応答としてスケジューリング部２１に渡し（Ｓ４３）、このフローを終了する。
【００４６】
上述したバックアップ制御機能によれば、通常の監視制御に使用する通常経路ではなく、異常発生時の監視制御に使用する迂回経路を利用してファイル転送を行うことにより、ファイル転送によるＧＮＥ伝送装置のＣＰＵ負荷や通信経路の負荷が軽減され、通常の監視制御における遅延等の支障を軽減することができる。また、閾値超過警報の発生している通信経路は、ファイル転送に失敗する可能性が高いため、閾値超過警報の発生していない経路でファイル転送を実施することにより、安全性の高いファイル転送が可能である。また、監視制御装置が冗長構成を持つ場合は、待機系監視制御装置を用いてバックアップを行うことにより通常の監視制御における遅延等の支障を軽減することができる。
【００４７】
また、オペレータの操作を監視することにより、データの変更があった伝送装置を優先的にバックアップすることから、最新データの退避が可能であり、伝送装置の故障によりサービスに影響があった場合でも、退避データにより迅速な復旧が可能となる。また、ＤＣＮ機器の故障等によりバックアップが失敗した場合、成功した伝送装置に比べて失敗した伝送装置のバックアップ優先度は高いままとなり、再度バックアップ対象となることが可能である。
【００４８】
実施の形態２．
ここでは、本発明に係る監視制御装置のダウンロード制御機能について説明する。
【００４９】
図７は、本発明に係る伝送装置監視制御システムの構成の一例を示すブロック図である。図７において、図１と同一符号は図１に示された対象と同一又は相当物を示しており、ここでの説明を省略する。図１と比較すると図７の伝送装置監視制御システムは、運用系監視制御装置１ａの代わりに運用系監視制御装置２ａを備え、待機系監視制御装置１ｂの代わりに待機系監視制御装置２ｂを備える。
【００５０】
図８は、本発明に係るダウンロード制御機能を持つ監視制御装置の構成の一例を示すブロック図である。図８において、図２と同一符号は図２に示された対象と同一又は相当物を示しており、ここでの説明を省略する。図２と比較すると図７は、運用系監視制御装置１ａの代わりに運用系監視制御装置２ａを備える。運用系監視制御装置１ａと比較すると運用系監視制御装置２ａは、新たにダウンロード制御部３１、ダウンロード後制御部３２を備え、スケジューリング部２１、バックアップ管理部２２、時刻取得部２３、バックアップ対象格納部２４、バックアップ優先度処理部２５、監視部２６、監視ＤＢ２７を必要としない。
【００５１】
次に、ダウンロード制御部３１の動作について説明する。図９は、本発明に係るダウンロード制御部の動作の一例を示すフローチャートである。まず、ダウンロード制御部３１は、伝送装置情報格納部１２から、ダウンロードの対象サブネットワークの情報を取得する（Ｓ５１）。次に、ダウンロード制御部３１は、対象サブネットワークのＧＮＥ伝送装置３ａ，３ｂに対して、ダウンロード制御を行う（Ｓ５２）。ダウンロード制御部３１によるダウンロード制御に従って、ＧＮＥ伝送装置３ａ，３ｂは、運用系監視制御装置２ａからのダウンロードを行う。
【００５２】
次に、ダウンロード制御部３１は、ダウンロードが成功したか否かの判断を行う（Ｓ６１）。ダウンロードが失敗した場合（Ｓ６１，Ｎ）、このフローを終了する。一方、ダウンロードが成功した場合（Ｓ６１，Ｙ）、対象サブネットワークの全ての伝送装置のダウンロードを完了したか否かの判断を行う（Ｓ６２）。
全ての伝送装置のダウンロードを完了していない場合（Ｓ６２，Ｎ）、ダウンロードが完了した伝送装置に隣接する伝送装置に対して、ダウンロードの制御を行い（Ｓ６３）、処理Ｓ６１へ戻る。ダウンロード制御部３１によるダウンロードの制御に従って、ダウンロードが完了した伝送装置に隣接する伝送装置は、ダウンロードが完了した伝送装置からのダウンロードを行う。
【００５３】
一方、全ての伝送装置のダウンロードを完了した場合（Ｓ６２，Ｙ）、ダウンロード結果と、ダウンロード後制御方法の問い合わせを、オペレータ端末５へ通知し（Ｓ６４）、このフローを終了する。ダウンロード後制御方法オペレータ端末５において、オペレータは、ダウンロード後制御方法の指示を運用系監視制御装置１ａへ送信する。ダウンロード後制御方法の内容は、ダウンロード後制御部３２に任せる自動制御、オペレータが指示する制御の手順を含めた手動制御、のいずれかである。
【００５４】
次に、ダウンロード後制御部３２の動作について説明する。図１０は、本発明に係るダウンロード後制御部の動作の一例を示すフローチャートである。ダウンロード後制御部３２は、オペレータ端末５からダウンロード後制御方法の指示を受け取ると、このフローを実行する。まず、ダウンロード後制御部３２は、伝送装置情報格納部１２から、ダウンロードの対象サブネットワークの情報を取得する（Ｓ７１）。次に、ダウンロード後制御部３２は、オペレータ端末５から指示されたダウンロード後制御方法が自動制御であるか否かの判断を行う（Ｓ７２）。自動制御である場合（Ｓ７２，Ｙ）、自動制御を実行し（Ｓ７３）、このフローを終了する。自動制御の詳細については、後述する。
【００５５】
一方、手動制御である場合（Ｓ７２，Ｎ）、ダウンロード後制御部３２は、指示された手動制御の内容が自動制御の内容と同一であるか否かの判断を行う（Ｓ７４）。同一である場合（Ｓ７４，Ｙ）、処理Ｓ７８へ移行する。一方、同一でない場合（Ｓ７４，Ｎ）、手動制御の通りに実行するか、自動制御に切り替えて実行するかを再度オペレータに尋ねる警告メッセージを、オペレータ端末５へ送信する（Ｓ７５）。オペレータ端末５において、オペレータは警告メッセージに対する応答を運用系監視制御装置２ａへ送信する。
【００５６】
次に、ダウンロード後制御部３２は、警告メッセージに対する応答を受信すると（Ｓ７６）、警告メッセージに対する応答が、手動制御の通りに実行する指示であるか否かの判断を行う（Ｓ７７）。手動制御の通りに実行する指示でない、即ち自動制御に切り替えて実行する指示である場合（Ｓ７７，Ｙ）、処理Ｓ７４へ戻る。一方、手動制御の通りに実行する指示である場合（Ｓ７７，Ｙ）、手動制御の通りに実行し（Ｓ７８）、処理Ｓ７９へ移行する。
【００５７】
次に、ダウンロード後制御部３２は、全てのダウンロード後制御が完了したか否かの判断を行う（Ｓ７９）。完了した場合（Ｓ７９，Ｙ）、このフローを終了する。一方、完了していない場合（Ｓ７９，Ｎ）、処理Ｓ７４へ戻る。
【００５８】
次に、上述したダウンロード後制御部３２の自動制御の動作について説明する。図１１は、本発明に係るダウンロード後制御部の自動制御の動作の一例を示すフローチャートである。まず、ダウンロード後制御部３２は、サブネットワーク８においてＧＮＥ伝送装置３ａ，３ｂから最も遠い伝送装置に対して、予め定めた制御を行う（Ｓ８１）。予め定めた制御とは、例えば、伝送装置の再起動である。次に、ダウンロード後制御部３２は、全ての伝送装置の制御が完了したか否かの判断を行う（Ｓ８２）。完了した場合（Ｓ８２，Ｙ）、ダウンロード後制御の結果をオペレータ端末５に通知し（Ｓ８４）、このフローを終了する。一方完了していない場合（Ｓ８２，Ｎ）、サブネットワーク８において、制御を完了した伝送装置からＧＮＥ伝送装置３ａ，３ｂへ近づく方向に隣接した伝送装置に対して、予め定めた制御を行い（Ｓ８３）、処理Ｓ８２へ戻る。
【００５９】
上述したダウンロード制御機能によれば、伝送装置から伝送装置へのダウンロードを順次行うことにより、ＤＣＮやＧＮＥ伝送装置の負荷を軽減することができる。また、サブネットワークの構成に応じて、的確なダウンロード後の制御を自動で実施すること、手動でダウンロード後の制御を行う場合でも、判断ミスが発生する可能性を事前にオペレータに警告することにより、オペレータの判断ミスによる監視制御の中断を回避することができる。
【００６０】
なお、実施の形態１においてバックアップ制御機能を備える監視制御装置、実施の形態２においてダウンロード制御機能を備える監視制御装置について説明したが、監視制御装置がバックアップ制御機能とダウンロード制御機能の両方を備えても良い。
【００６１】
更に、監視制御装置を構成するコンピュータに上述した各ステップを実行させるプログラムを、監視制御プログラムとして提供することができる。上述したプログラムは、コンピュータにより読取り可能な記録媒体に記憶させることによって、監視制御装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００６２】
なお、冗長な装置とは、待機系監視制御装置に対応する。また、プロトコル境界の伝送装置とは、ＧＮＥ伝送装置に対応する。また、バックアップ制御部とは、実施の形態におけるスケジューリング部、バックアップ管理部、バックアップ優先度処理部に対応する。また、監視部とは、実施の形態における監視部と監視ＤＢに対応する。
【００６３】
（付記１）  第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法をコンピュータに実行させる監視制御プログラムであって、
バックアップの対象となる前記伝送装置の優先度を格納するバックアップ対象格納ステップと、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップと、
をコンピュータに実行させる監視制御プログラム。
（付記２）  付記１に記載の監視制御プログラムにおいて、
更に、複数の前記通信経路の監視を行う監視ステップを備え、
前記バックアップ制御ステップは、前記状況として、前記監視ステップの監視結果を用いることを特徴とする監視制御プログラム。
（付記３）  付記１または付記２に記載の監視制御プログラムにおいて、
前記バックアップ制御ステップは、前記状況として、所定の時間帯と現在時刻の比較を用いることを特徴とする監視制御プログラム。
（付記４）  付記１乃至付記３のいずれかに記載の監視制御プログラムにおいて、
前記バックアップ制御ステップは更に、ある伝送装置に対してオペレータによる所定の操作が行われた場合に、該伝送装置の前記優先度を変更することを特徴とする監視制御プログラム。
（付記５）  付記１乃至付記４のいずれかに記載の監視制御プログラムにおいて、
前記バックアップ制御ステップは更に、前記バックアップが成功した伝送装置の前記優先度を下げることを特徴とする監視制御プログラム。
（付記６）  付記１乃至付記５のいずれかに記載の監視制御プログラムにおいて、
前記バックアップ制御ステップは更に、前記コンピュータと同様の冗長な装置が存在する場合、前記バックアップを前記冗長な装置に委託することを特徴とする監視制御プログラム。
（付記７）  第１のプロトコルを用いて接続された複数の伝送装置のうちプロトコル境界の伝送装置に対して、第２のプロトコルを用いて接続し、前記複数の伝送装置の監視制御を行う監視制御方法をコンピュータに実行させる監視制御プログラムであって、
前記複数の伝送装置の接続状況を格納する伝送装置情報格納ステップと、
前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御ステップと、
をコンピュータに実行させる監視制御プログラム。
（付記８）  付記７に記載の監視制御プログラムにおいて、
更に、前記ダウンロードの後に、前記プロトコル境界の伝送装置から遠い伝送装置から順に所定の制御を行うダウンロード後制御ステップを備えることを特徴とする監視制御プログラム。
（付記９）  付記７に記載の監視制御プログラムにおいて、
更に、前記ダウンロードの後に、前記プロトコル境界の伝送装置から遠い伝送装置から順に所定の制御を行う処理とは異なる指示がオペレータから与えられた場合に、前記オペレータに警告メッセージを通知するダウンロード後制御ステップを備えることを特徴とする監視制御プログラム。
（付記１０）  第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御装置であって、
バックアップの対象となる前記伝送装置の優先度を格納するバックアップ対象格納部と、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御部と、
を備えてなる監視制御装置。
（付記１１）  第１のプロトコルを用いて接続された複数の伝送装置のうちプロトコル境界の伝送装置に対して、第２のプロトコルを用いて接続し、前記複数の伝送装置の監視制御を行う監視制御装置であって、
前記複数の伝送装置の接続状況を格納する伝送装置情報格納部と、
前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御部と、
を備えてなる監視制御装置。
（付記１２）  第１のプロトコルを用いたネットワーク上の複数の伝送装置のうちプロトコル境界の伝送装置に対して、該プロトコル境界の伝送装置毎の通信経路を経て第２のプロトコルを用いて接続し、前記複数の伝送装置の監視制御を行う監視制御方法であって、
バックアップの対象となる前記伝送装置の優先度を格納するバックアップ対象格納ステップと、
複数の前記通信経路の状況に基づいて、複数の前記通信経路のいずれかの通信経路を選択し、前記優先度に基づいてバックアップの対象となる前記伝送装置を選択し、選択した通信経路を用いて、選択した伝送装置のバックアップを行うバックアップ制御ステップと、
を実行する監視制御方法。
（付記１３）  第１のプロトコルを用いて接続された複数の伝送装置のうちプロトコル境界の伝送装置に対して、第２のプロトコルを用いて接続し、前記複数の伝送装置の監視制御を行う監視制御方法であって、
前記複数の伝送装置の接続状況を格納する伝送装置情報格納ステップと、
前記接続状況に基づいて、始めに前記プロトコル境界の伝送装置のダウンロードを実行させ、その後、前記プロトコル境界の伝送装置に近い伝送装置から順に、隣接した伝送装置間でダウンロードが完了した伝送装置からダウンロードが完了していない伝送装置へのダウンロードを実行させるダウンロード制御ステップと、
を実行する監視制御方法。
【図面の簡単な説明】
【００６４】
【図１】本発明に係る伝送装置監視制御システムの構成の一例を示すブロック図である。
【図２】本発明に係るバックアップ制御機能を持つ監視制御装置の構成の一例を示すブロック図である。
【図３】本発明に係る伝送装置情報格納部に格納される情報の一例を示す表である。
【図４】本発明に係るバックアップ対象格納部に格納される情報の一例を示す表である。
【図５】本発明に係るスケジューリング部の動作の一例を示すフローチャートである。
【図６】本発明に係るバックアップ管理部の動作の一例を示すフローチャートである。
【図７】本発明に係る伝送装置監視制御システムの構成の別の一例を示すブロック図である。
【図８】本発明に係るダウンロード制御機能を持つ監視制御装置の構成の一例を示すブロック図である。
【図９】本発明に係るダウンロード制御部の動作の一例を示すフローチャートである。
【図１０】本発明に係るダウンロード後制御部の動作の一例を示すフローチャートである。
【図１１】本発明に係るダウンロード後制御部の自動制御の動作の一例を示すフローチャートである。
【図１２】従来の伝送装置監視制御システムの構成の一例を示すブロック図である。
【符号の説明】
【００６５】
１ａ，２ａ  運用系監視制御装置、１ｂ，２ｂ  待機系監視制御装置、３ａ，３ｂ  ＧＮＥ伝送装置、４ａ，４ｂ  標準伝送装置、５  オペレータ端末、６  ＤＣＮ、７ａ  通常経路、７ｂ  迂回経路、８  サブネットワーク、１１  通信管理部、１２  伝送装置情報格納部、２１  スケジューリング部、２２  バックアップ管理部、２３  時刻取得部、２４  バックアップ対象格納部、２５  バックアップ優先度処理部、２６  監視部、２７  監視ＤＢ、３１  ダウンロード制御部、３２  ダウンロード後制御部。
【図１】
2006246283.tif 000003
【図２】
2006246283.tif 000004
【図３】
2006246283.tif 000005
【図４】
2006246283.tif 000006
【図５】
2006246283.tif 000007
【図６】
2006246283.tif 000008
【図７】
2006246283.tif 000009
【図８】
2006246283.tif 000010
【図９】
2006246283.tif 000011
【図１０】
2006246283.tif 000012
【図１１】
2006246283.tif 000013
【図１２】
2006246283.tif 000014